(57)【要約】      （修正有）【課題】第１杖及び第２杖を合体させて１本の杖として使用でき、また第１杖及び第２杖を分離させて２本の杖としても使用できる杖を提供する。【解決手段】第１シャフト２１の上端に第１グリップ３１が嵌入され、第１シャフトの下端に第１キャップ４１が嵌入され、第２シャフト２２上端に第２グリップ３２が嵌入され、第２シャフトの下端に第２キャップ４２が嵌入される。第１杖１１の第１主平面部２１ｃ、第１アッパ平面部３１ａ及び第１ロア平面部４１ａを第２杖１２の第２主平面部、第２アッパ平面部及び第２ロア平面部にそれぞれ対向させて合せた状態で面ファスナ５１で固定することにより、第１杖と第２杖とが合体可能に構成される。第１グリップの第１アッパ平面部の第１凹凸部３１ｃと、第２グリップの第２アッパ平面部の第２凹凸部３２ｃとの嵌合により、第１アッパ平面部と第２アッパ平面部とが密着する。【選択図】図１
2020022609.tif 000002
【特許請求の範囲】
【請求項１】
外周面に長手方向に延びる第１主平面部が形成された第１シャフトと、この第１シャフトの上端に嵌入され外周面に前記第１主平面部に連なる第１アッパ平面部が形成された第１グリップと、前記第１シャフトの下端に嵌入され外周面に前記第１主平面部に連なる第１ロア平面部が形成された第１キャップとを有する第１杖と、外周面に長手方向に延びる第２主平面部が形成された第２シャフトと、この第２シャフトの上端に嵌入され外周面に前記第２主平面部に連なる第２アッパ平面部が形成された第２グリップと、前記第２シャフトの下端に嵌入され外周面に前記第２主平面部に連なる第２ロア平面部が形成された第２キャップとを有する第２杖とを備え、前記第１杖の第１主平面部、第１アッパ平面部及び第１ロア平面部を前記第２杖の第２主平面部、第２アッパ平面部及び第２ロア平面部にそれぞれ対向させて合せた状態で面ファスナ又は永久磁石或いはホックで固定することにより、前記第１杖と前記第２杖とが合体可能に構成された杖であって、
前記第１グリップの第１アッパ平面部に第１凹凸部が形成され、
前記第２グリップの第２アッパ平面部に第２凹凸部が形成され、
前記第１凹凸部と前記第２凹凸部とが嵌合することにより、前記第１アッパ平面部と前記第２アッパ平面部とが密着するように構成された
ことを特徴とする杖。
【請求項２】
前記第１キャップの第１ロア平面部又は前記第２キャップの第２ロア平面部に前記第２キャップ又は前記第１キャップを挿入可能な第１筒状部又は第２筒状部が突設された請求項１記載の杖。
【請求項３】
前記第１凹凸部が、前記第１グリップの第１アッパ平面部に縦方向、横方向又は斜め方向に延びる凹条部分及び凸条部分が交互に並んで形成され、前記第２凹凸部が、前記第２グリップの第２アッパ平面部に縦方向、横方向又は斜め方向に延びる凹条部分及び凸条部分が交互に並んで形成され、前記第１凹凸部の凸条部分を前記第２凹凸部の凹条部分に遊挿し、前記第２凹凸部の凸条部分を前記第１凹凸部の凹条部分に遊挿して、前記第１凹凸部と前記第２凹凸部とが嵌合することにより、前記第１アッパ平面部と前記第２アッパ平面部とが密着するように構成された請求項１記載の杖。
【請求項４】
前記第１シャフトが、中空の第１アウタ部と、この第１アウタ部に摺動可能に収容される第１インナ部とからなり、前記第２シャフトが、中空の第２アウタ部と、この第２アウタ部に摺動可能に収容される第２インナ部とからなり、前記第１インナ部の前記第１アウタ部からの突出長さが第１長さ調整機構により段階的に変更可能に構成され、前記第２インナ部の前記第２アウタ部からの突出長さが第２調整機構により段階的に変更可能に構成された請求項１記載の杖。
【請求項５】
前記第１長さ調整機構が、前記第１アウタ部に長手方向に間隔をあけて形成された複数の第１通孔と、前記第１インナ部に内蔵され前記複数の第１通孔に選択的に係止可能な単一の第１ピンとを有し、前記第２長さ調整機構が、前記第２アウタ部に長手方向に間隔をあけて形成された複数の第２通孔と、前記第２インナ部に内蔵され前記複数の第２通孔に選択的に係止可能な単一の第２ピンとを有する請求項４記載の杖。
【発明の詳細な説明】
【技術分野】
【０００１】
本発明は、第１杖及び第２杖を合体させて１本の杖として使用でき、また第１杖及び第２杖を分離させて２本の杖としても使用できる杖に関する。具体的には、アスファルト等の平らな道路を歩行するときに第１杖及び第２杖を合体させて１本の杖として使用でき、砂利道や坂道等の不整地を第１杖及び第２杖をそれぞれ左右の手で持ってバランスを取りながら歩行するときに２本の杖として使用できる杖に関するものである。
【背景技術】
【０００２】
従来、握り部と本体部と接地部とを有する左手用杖と、前記左手用杖の握り部、本体部及び接地部が左右対称に配置された右手用杖とを備え、歩行用に供する片手両手兼用杖が開示されている（例えば、特許文献１（請求項１、段落［０００９］、図１）参照。）。この片手両手兼用杖では、左手用杖及び右手用杖の握り部の内側に互いに異極性の第１磁石部がそれぞれ設けられ、左手用杖及び右手用杖の接地部の内側に互いに異極性の第２磁石部がそれぞれ設けられる。また、左手用杖又は右手用杖のいずれか一方の第１磁石部に凸部が設けられ、左手用杖又は右手用杖のいずれか他方の第１磁石部に上記凸部と嵌合するように凹部が設けられる。
【０００３】
このように構成された片手両手兼用杖では、左手用杖と右手用杖を１つにまとめるときの連結を強くし、運搬や収納に適するだけでなく、歩行用に供する片手用杖として使用できる。また、左手用杖及び右手用杖の握り部で第１磁石の凸部及び凹部が嵌合するので、１つにまとめるときの左手用杖及び右手用杖の位置決めを行うことができ、左手用杖及び右手用杖の接地部で第２磁石が面接合するので、使用による経年変化が生じても、杖を１つにまとめることができる。
【０００４】
一方、脱着自在の連結具を取付けることにより、連結可能に構成された両手用杖が開示されている（例えば、特許文献２（請求項１、要約の［解決手段］、段落［０００８］、［０００９］、［００２１］、図１、図２）参照。）。この両手用杖では、左杖と右杖は、各本体の上端にそれぞれ固着された握り部と、各本体の下端に履かせられた先ゴムとをそれぞれ有する。また、左杖と右杖の各本体の各内側の上端近くと下端近くに、連結具凸部及び連結具凹部をそれぞれ取付けられ、連結具は使用中に外れないようにするため、丈夫なばね止めのあるスナップボタン構造のものが用いられる。連結具としては、凹凸により連結するもの、引っ掛けて連結するもの、マジックテープ（登録商標、以下同じ）、磁石、或いは抱き合せて一括連結するものなど、両手用杖を離れないようにまとめることができ、連結及び分離を簡単に行うことができ、取扱いに支障がないものが用いられる。更に、連結具凸部の突出部分の先に鉄片やマジックテープの一方を取付け、連結具凹部の凹み部分の底に磁石やマジックテープの他方を取付けてもよい。
【０００５】
このように構成された両手用杖では、両手に杖をそれぞれ持って歩行する人が歩行以外の行為をするときに、連結具によって杖を連結することにより、杖を簡単に束ねて持ち易くすることができ、かつ扱い易くなる。また、短時間だけ片手に２本の杖を持って歩行しなければならない場合でも、連結具によって杖を連結して１本の杖として使用できる。
【先行技術文献】
【特許文献】
【０００６】
【特許文献１】実用新案登録第３１２２７０９号公報
【特許文献２】特開平１１−１２７９２７号公報
【発明の概要】
【発明が解決しようとする課題】
【０００７】
しかし、左手用杖及び右手用杖を１つにまとめた状態で、例えば左手用杖の接地部に、左手用杖及び右手用杖の合せ面に平行な方向の力が作用すると、凸部及び凹部の嵌合部分を中心に左手用杖の接地部が右手用杖の接地部に対してスライドする方向に回転し、これらの接地部が意図せずに離れてしまう不具合があった。また、上記従来の特許文献１に示された片手両手兼用杖では、上記従来の特許文献１に示された片手両手兼用杖では、左手用杖及び右手用杖を１つにまとめた状態で、例えば左手用杖の接地部に右手用杖の接地部から離す方向の力が作用すると、左手用杖と右手用杖とが意図せずに分離してしまう問題点もあった。更に、上記従来の特許文献１に示された片手両手兼用杖では、左手用杖及び右手用杖を１つにまとめた状態から分離して、左手用杖及び右手用杖を左手及び右手でそれぞれ持つと、握り部の太さがほぼ半分になって使用者が違和感を抱く問題点もあった。
【０００８】
一方、上記従来の特許文献２に示された両手用杖では、連結具がスナップボタン構造又は磁石である場合、左杖及び右杖を１つにまとめた状態で、例えば左杖の先ゴムと右杖の先ゴムとを互いに離す方向の力が作用すると、左杖と右杖とが意図せずに分離してしまう問題点もあった。また、上記従来の特許文献２に示された両手用杖では、左杖及び右杖を１つにまとめた状態から分離して、左杖及び右杖を左手及び右手でそれぞれ持つと、握り部の太さがほぼ半分になって使用者が違和感を抱く問題点もあった。
【０００９】
本発明の第１の目的は、第１杖及び第２杖が合体した状態で、第１キャップ又は第２キャップのいずれか一方に、第１ロア平面部及び第２ロア平面部に平行な方向の力が作用しても、第１キャップ及び第２キャップが第１ロア平面部及び第２ロア平面部内で意図せずに分離するのを防止できる、杖を提供することにある。本発明の第２の目的は、第１杖及び第２杖が合体した状態で、第１キャップと第２キャップと互いに離す方向の力が作用しても、第１杖及び第２杖が意図せずに分離するのを防止できる、杖を提供することにある。本発明の第３の目的は、第１杖及び第２杖が合体した状態から分離して、第１杖の第１グリップ及び第２杖の第２グリップを左右の手でそれぞれ持っても、第１グリップ及び第２グリップのそれぞれの太さが第１杖及び第２杖が合体したときのグリップの太さと比べて極端に細くならず、使用者に違和感を殆ど抱かせず、かつ第１凹凸部及び第２凹凸部が滑止めの機能をそれぞれ発揮できる、杖を提供することにある。本発明の第４の目的は、第１シャフト及び第２シャフトをそれぞれ段階的に伸縮でき、これにより使用者の身長や使用状況に合せて第１杖及び第２杖の全長をそれぞれ調整できる、杖を提供することにある。
【課題を解決するための手段】
【００１０】
本発明の第１の観点は、図１、図２、図６及び図７に示すように、外周面に長手方向に延びる第１主平面部２１ｃが形成された第１シャフト２１と、この第１シャフト２１の上端に嵌入され外周面に第１主平面部２１ｃに連なる第１アッパ平面部３１ａが形成された第１グリップ３１と、第１シャフト２１の下端に嵌入され外周面に第１主平面部２１ｃに連なる第１ロア平面部４１ａが形成された第１キャップ４１とを有する第１杖１１と、外周面に長手方向に延びる第２主平面部２２ｃが形成された第２シャフト２２と、この第２シャフト２２の上端に嵌入され外周面に第２主平面部２２ｃに連なる第２アッパ平面部３２ａが形成された第２グリップ３２と、第２シャフト２２の下端に嵌入され外周面に第２主平面部２２ｃに連なる第２ロア平面部４２ａが形成された第２キャップ４２とを有する第２杖１２とを備え、第１杖１１の第１主平面部２１ｃ、第１アッパ平面部３１ａ及び第１ロア平面部４１ａを第２杖１２の第２主平面２２ｃ部、第２アッパ平面部３２ａ及び第２ロア平面部４２ａにそれぞれ対向させて合せた状態で面ファスナ５１又は永久磁石或いはホックで固定することにより、第１杖１１と第２杖１２とが合体可能に構成された杖１０であって、第１グリップ３１の第１アッパ平面部３１ａに第１凹凸部３１ｃが形成され、第２グリップ３２の第２アッパ平面部３２ａに第２凹凸部３２ｃが形成され、第１凹凸部３１ｃと第２凹凸部３２ｃとが嵌合することにより、第１アッパ平面部３１ａと第２アッパ平面部３２ａとが密着するように構成されたことを特徴とする。
【００１１】
本発明の第２の観点は、第１の観点に基づく発明であって、更に図１、図６及び図７に示すように、第１キャップ４１の第１ロア平面部４１ａ又は第２キャップの第２ロア平面部に第２キャップ４２又は第１キャップを挿入可能な第１筒状部４１ｃ又は第２筒状部が突設されたことを特徴とする。
【００１２】
本発明の第３の観点は、第１の観点に基づく発明であって、更に図１〜図５に示すように、第１凹凸部３１ｃは、第１グリップ３１の第１アッパ平面部３１ａに縦方向、横方向又は斜め方向に延びる凹条部分３１ｄ及び凸条部分３１ｅが交互に並んで形成され、第２凹凸部３２ｃは、第２グリップ３２の第２アッパ平面部３２ａに縦方向、横方向又は斜め方向に延びる凹条部分３２ｄ及び凸条部分３２ｅが交互に並んで形成され、第１凹凸部３１ｃの凸条部分３１ｅを第２凹凸部３２ｃの凹条部分３２ｄに遊挿し、第２凹凸部３２ｃの凸条部分３２ｅを第１凹凸部３１ｃの凹条部分３１ｄに遊挿して、第１凹凸部３１ｃと第２凹凸部３２ｃとが嵌合することにより、第１アッパ平面部３１ａと第２アッパ平面部３２ａとが密着するように構成されたことを特徴とする。
【００１３】
本発明の第４の観点は、第１の観点に基づく発明であって、更に図９及び図１０に示すように、第１シャフト２１が、中空の第１アウタ部２１ａと、この第１アウタ部２１ａに摺動可能に収容される第１インナ部２１ｂとからなり、第２シャフト２２が、中空の第２アウタ部２２ａと、この第２アウタ部２２ａに摺動可能に収容される第２インナ部２２ｂとからなり、第１インナ部２１ｂの第１アウタ部２１ａからの突出長さが第１長さ調整機構６１により段階的に変更可能に構成され、第２インナ部２２ｂの第２アウタ部２２ａからの突出長さが第２調整機構６２により段階的に変更可能に構成されたことを特徴とする。
【００１４】
本発明の第５の観点は、第４の観点に基づく発明であって、更に図９及び図１０に示すように、第１長さ調整機構６１が、第１アウタ部２１ａに長手方向に間隔をあけて形成された複数の第１通孔６１ａと、第１インナ部２１ｂに内蔵され複数の第１通孔６１ａに選択的に係止可能な単一の第１ピン６１ｂとを有し、第２長さ調整機構６２が、第２アウタ部２２ａに長手方向に間隔をあけて形成された複数の第２通孔６２ａと、第２インナ部２２ｂに内蔵され複数の第２通孔６２ａに選択的に係止可能な単一の第２ピン６２ｂとを有することを特徴とする。
【発明の効果】
【００１５】
本発明の第１の観点の杖では、第１グリップの第１アッパ平面部に第１凹凸部を形成し、第２グリップの第２アッパ平面部に第２凹凸部を形成し、第１凹凸部と第２凹凸部とが嵌合することにより、第１アッパ平面部と第２アッパ平面部とが密着して第１杖と第２杖とが合体するように構成したので、第１杖と第２杖が合体した状態で、例えば第１キャップに、第１ロア平面部及び第２ロア平面部に平行な方向の力が作用しても、第１凹凸部と第２凹凸部との嵌合により、第１キャップが第２キャップに対して第１ロア平面部及び第２ロア平面部内でスライドすることはない。この結果、第１キャップ及び第２キャップが第１ロア平面部及び第２ロア平面部内で意図せずに分離するのを防止できる。また、第１杖及び第２杖が合体した状態から分離して、第１杖の第１グリップ及び第２杖の第２グリップを左右の手でそれぞれ把持するとき、一方の手で第１グリップの外周面と第１凹凸部の複数の凸部の先端面とを把持し、他方の手で第２グリップの外周面と第２凹凸部の複数の凸部の先端面とを把持する。この結果、第１グリップ及び第２グリップのそれぞれの太さが第１杖及び第２杖が合体したときのグリップの太さと比べて極端に細くならないので、使用者に違和感を殆ど抱かせることはなく、かつ第１凹凸部及び第２凹凸部が滑止めの機能をそれぞれ発揮できる。
【００１６】
本発明の第２の観点の杖では、第１キャップの第１ロア平面部又は第２キャップの第２ロア平面部に第２キャップ又は第１キャップを挿入可能な第１筒状部又は第２筒状部を突設したので、第１筒状部又は第２筒状部に第２キャップ又は第１キャップを挿入した後に、第１凹凸部と第２凹凸部とを嵌合して、第１杖と第２杖とを合体させた状態で、第１キャップと第２キャップを互いに離す方向の力が作用しても、第１キャップと第２キャップとが互いに離れるのを第１筒状部又は第２筒状部が阻止する。この結果、第１杖及び第２杖が意図せずに分離するのを防止できる。
【００１７】
本発明の第３の観点の杖では、第１凹凸部は、第１グリップの第１アッパ平面部に縦方向、横方向又は斜め方向に延びる凹条部分及び凸条部分が交互に並んで形成され、第２凹凸部は、第２グリップの第２アッパ平面部に縦方向、横方向又は斜め方向に延びる凹条部分及び凸条部分が交互に並んで形成され、第１凹凸部の凸条部分を第２凹凸部の凹条部分に遊挿し、第２凹凸部の凸条部分を第１凹凸部の凹条部分に遊挿して、第１凹凸部と第２凹凸部とが嵌合することにより、第１アッパ平面部と第２アッパ平面部とが密着するように構成したので、第１杖と第２杖が合体した状態で、例えば第１キャップに、第１ロア平面部及び第２ロア平面部に平行な方向の力が作用しても、第１凹凸部の凸条部分が第２凹凸部の凹条部分に遊挿され、第２凹凸部の凸条部分が第１凹凸部の凹条部分に遊挿されており、第１凹凸部の凹条部分及び凸条部分と第２凹凸部の凸条部分及び凹条部分との嵌合により、第１キャップが第２キャップに対して第１ロア平面部及び第２ロア平面部内でスライドすることはない。この結果、第１キャップ及び第２キャップが第１ロア平面部及び第２ロア平面部内で意図せずに分離するのを防止できる。また、第１杖及び第２杖が合体した状態から分離して、第１杖の第１グリップ及び第２杖の第２グリップを左右の手でそれぞれ把持するとき、一方の手で第１グリップの外周面と第１凹凸部の複数の凸条部分の先端面とを把持し、他方の手で第２グリップの外周面と第２凹凸部の複数の凸条部分の先端面とを把持する。この結果、第１グリップ及び第２グリップのそれぞれの太さが第１杖及び第２杖が合体したときのグリップの太さと比べて極端に細くならないので、使用者に違和感を殆ど抱かせることはなく、かつ第１凹凸部及び第２凹凸部が滑止めの機能をそれぞれ発揮できる。
【００１８】
本発明の第４の観点の杖では、第１インナ部の第１アウタ部からの突出長さを第１長さ調整機構により段階的に変更でき、第２インナ部の第２アウタ部からの突出長さを第２調整機構により段階的に変更できるので、使用者の身長や使用状況に合せて第１杖及び第２杖の全長をそれぞれ調整できる。
【００１９】
本発明の第５の観点の杖では、第１アウタ部の複数の第１通孔に、第１インナ部の単一の第１ピンが選択的に係止することにより、第１インナ部の第１アウタ部からの突出長さを段階的に変更でき、第２アウタ部の複数の第２通孔に、第２インナ部の単一の第２ピンが選択的に係止することにより、第２インナ部の第２アウタ部からの突出長さを段階的に変更できる。この結果、使用者の身長や使用状況に合せて第１杖及び第２杖の全長をそれぞれ調整できる。
【図面の簡単な説明】
【００２０】
【図１】（ａ）は本発明第１実施形態の第１杖と第２杖が合体した状態を示す斜視図であり、（ｂ）は本発明第１実施形態の第１杖と第２杖が分離した状態を示す斜視図である。
【図２】第１杖の第１シャフト上端に第１グリップを嵌入する前後の状態を示す要部を破断した正面図である。
【図３】第２杖の第２シャフト上端に第２グリップを嵌入する前後の状態を示す要部を破断した正面図である。
【図４】図１のＡ−Ａ線断面図である。
【図５】図１のＢ−Ｂ線断面図である。
【図６】その杖の第１キャップの筒状部に第２キャップを挿入する前後の状態を示す要部斜視図である。
【図７】その杖の第１キャップの筒状部に第２キャップを挿入する前後の状態を示す要部断面図である。
【図８】（ａ）は第２アウタ部から第２インナ部を最も突出させた状態を示す第２杖の正面図であり、（ｂ）は第２アウタ部に第２インナ部を最も収容した状態を示す第２杖の正面図である。
【図９】（ａ）は図１０のＣ−Ｃ線断面図であり、（ｂ）は図１０のＤ−Ｄ線断面図である。
【図１０】（ａ）は図９のＥ−Ｅ線断面図であり、（ｂ）は図９のＦ−Ｆ線断面図である。
【図１１】（ａ）は図１２のＧ−Ｇ線断面図であり、（ｂ）は図１２のＨ−Ｈ線断面図である。
【図１２】（ａ）は図１１のＩ−Ｉ線断面図であり、（ｂ）は図１１のＪ−Ｊ線断面図である。
【発明を実施するための形態】
【００２１】
次に本発明を実施するための形態を図面に基づいて説明する。
【００２２】
＜第１の実施の形態＞
図１に示すように、杖１０は、第１シャフト２１と、この第１シャフト２１の上端に嵌入された第１グリップ３１と、第１シャフト２１の下端に嵌入された第１キャップ４１とを有する第１杖１１と、第２シャフト２２と、この第２シャフト２２の上端に嵌入された第２グリップ３２と、第２シャフト２２の下端に嵌入された第２キャップ４２とを有する第２杖１２とを備える。第１シャフト２１及び第２シャフト２２は、カーボン繊維及びエポキシ樹脂の複合材、アルミニウム合金、マグネシウム合金等により略半円筒状にそれぞれ形成される。また、第１シャフト２１は、中空の第１アウタ部２１ａと、この第１アウタ部２１ａに摺動可能に収容される中空の第１インナ部２１ｂとからなり、第２シャフト２２は、中空の第２アウタ部２２ａと、この第２アウタ部２２ａに摺動可能に収容される中空の第２インナ部２２ｂとからなる（図１、図９及び図１０）。また、第１アウタ部２１ａは半円筒状に形成され、第１インナ部２１ｂは第１アウタ部２１ａより僅かに小さい半円筒状に形成される（図６及び図９）。これにより第１インナ部２１ｂは第１アウタ部２１ａに摺動可能に収容される。更に、第２アウタ部２２ａは半円筒状に形成され、第２インナ部２２ｂは第２アウタ部２２ａより僅かに小さい半円筒状に形成される。これにより第２インナ部２２ｂは第２アウタ部２２ａに摺動可能に収容される。
【００２３】
第１シャフト２１の外周面及び第２シャフト２２の外周面には、長手方向に延びる第１主平面部２１ｃ及び第２主平面部２２ｃがそれぞれ形成される（図１、図６、図９及び図１０）。第１シャフト２１及び第２シャフト２２の素材として、上記のようにカーボン繊維及びエポキシ樹脂の複合材、アルミニウム合金、マグネシウム合金等の比重が小さくて強度の高い素材を使用することにより、第１シャフト２１及び第２シャフト２２を合体させて使用しても、使用者に重量感を感じさせず、第１シャフト２１及び第２シャフト２２をそれぞれ左右の手に持って使用しても、使用者に強度的な不安感を感じさせないようになっている。
【００２４】
一方、第１グリップ３１及び第２グリップ３２は、ポリアミド樹脂（ナイロン樹脂等）、ＡＢＳ（アクリロニトリル・ブタジエン・スチレン）樹脂、ポリエステル樹脂、ポリカーボネート樹脂、ポリアセタール樹脂、ガラス繊維強化樹脂、カーボン繊維強化樹脂、アルミニウム合金、マグネシウム合金等により略Ｔ字状にそれぞれ形成され、外周面に第１主平面部２１ｃ及び第２主平面部２２ｃに連なる第１アッパ平面部３１ａ及び第２アッパ平面部３２ａがそれぞれ形成される（図１〜図４）。第１グリップ３１の下面には横断面略半月状の第１アッパ穴３１ｂが形成され、第２グリップ３２の下面には横断面略半月状の第２アッパ穴３２ｂが形成される（図２及び図３）。また、第１シャフト２１の第１アッパ部２１ａの上端部には第１アッパ部２１ａの他の部分より小径の第１アッパ嵌入部２１ｄが形成され、第２シャフト２２の第２アッパ部２２ａの上端部には第２アッパ部２２ａの他の部分より小径の第２アッパ嵌入部２２ｄに形成される。そして、第１アッパ嵌入部２１ｄに第１アッパ穴３１ｂを嵌入することにより、第１シャフト２１に第１グリップ３１が取付けられ、第２アッパ嵌入部２２ｄに第２アッパ穴３２ｂを嵌入することにより、第２シャフト２２に第２グリップ３２が取付けられる。なお、図示しないが、第１シャフト２１に第１グリップ３１を取付けた後に、抜止めのために、リベット、ビス又は接着剤等により、第１グリップ３１が第１シャフト２１に固定され、第２シャフト２２に第２グリップ３２を取付けた後に、抜止めのために、リベット、ビス又は接着剤等により、第２グリップ３２が第２シャフト２２に固定される。
【００２５】
第１グリップ３１の第１アッパ平面部３１ａには第１凹凸部３１ｃが形成され、第２グリップ３２の第２アッパ平面部３２ａには第２凹凸部３２ｃが形成される（図１〜図４）。第１凹凸部３１ｃは、第１グリップ３１の第１アッパ平面部３１ａのうち外周縁及び下部を除いた部分に縦方向に延びる凹部３１ｄ（凹条部分）及び凸部３１ｅ（凸条部分）が交互に並んで形成される（図４及び図５）。また、第２凹凸部３２ｃは、第２グリップ３２の第２アッパ平面部３２ａのうち外周縁及び下部を除いた部分に縦方向に延びる凹部３２ｄ（凹条部分）及び凸部３２ｅ（凸条部分）が交互に並んで形成される。一方、第１凹凸部３１ｃの凹部３１ｄの深さは、第１グリップ３１の所定の肉厚を確保できる深さに形成され、第２凹凸部３２ｃの凹部３２ｄの深さは、第２グリップ３２の所定の肉厚を確保できる深さに形成される。また、第１凹凸部３１ｃの凸部３１ｅの高さ及び厚さは、第２凹凸部３２ｃの凹部３２ｄの深さ及び幅より僅かに小さく形成され、第２凹凸部３２ｃの凸部３２ｅの高さ及び厚さは、第１凹凸部３１ｃの凹部３１ｄの深さ及び幅より僅かに小さく形成される。そして、第１凹凸部３１ｃの凸部３１ｅを第２凹凸部３２の凹部３２ｄに遊挿し、第２凹凸部３２ｃの凸部３２ｅを第１凹凸部３１ｃの凹部３１ｄに遊挿して、第１凹凸部３１ｃと第２凹凸部３２ｃとが嵌合することにより、第１アッパ平面部３１ａと第２アッパ平面部３２ａとが密着するように構成される。
【００２６】
第１キャップ４１及び第２キャップ４２は、ポリアミド樹脂（ナイロン樹脂等）、ＡＢＳ（アクリロニトリル・ブタジエン・スチレン）樹脂、ポリエステル樹脂、ポリカーボネート樹脂、ポリアセタール樹脂、ガラス繊維強化樹脂、カーボン繊維強化樹脂、硬質ゴム、アルミニウム合金、マグネシウム合金等により縦断面略Ｕ字状に形成され、外周面に第１主平面部２１ｃ及び第２主平面部２２ｃに連なる第１ロア平面部４１ａ及び第２ロア平面部４２ａがそれぞれ形成される（図１、図６及び図７）。また、第１キャップ４１の上面には横断面略半月状の第１ロア穴４１ｂが形成され、第２キャップ４２の上面には横断面略半月状の第２ロア穴４２ｂが形成される（図６）。そして、第１インナ部２１ｂに第１ロア穴４１ｂを嵌入することにより、第１シャフト２１に第１キャップ４１が取付けられ、第２インナ部２２ｂに第２ロア穴４２ｂを嵌入することにより、第２シャフト２２に第２キャップ４２が取付けられる（図６及び図７）。更に、第１キャップ４１の第１ロア平面部４１ａには第１筒状部４１ｃが突設される。この第１筒状部４１ｃは第２キャップ４２を挿入可能な半円筒状に形成される（図１、図６及び図７）。なお、図示しないが、第１シャフト２１に第１キャップ４１を取付けた後に、抜止めのために、リベット、ビス又は接着剤等により、第１キャップ４１が第１シャフト２１に固定され、第２シャフト２２に第２キャップ４２を取付けた後に、抜止めのために、リベット、ビス又は接着剤等により、第２キャップ４２が第２シャフト２２に固定される。
【００２７】
一方、第１杖１１の第１主平面部２１ｃ、第１アッパ平面部３１及び第１ロア平面部４１ａを第２杖１２の第２主平面部２２ｃ、第２アッパ平面部３２ａ及び第２ロア平面部４２ａにそれぞれ対向させて合せた状態で面ファスナ５１で固定することにより、第１杖１１と第２杖１２とが合体可能に構成される（図１、図９及び図１０）。面ファスナ５１は、この実施の形態では、第１シャフト２１の第１主平面部２１ｃと第２シャフト２２の第２主平面部２２ｃとを密着固定可能なシート型面ファスナ５２と、第１シャフト２１及び第２シャフト２２の上部に巻き付けて固定するベルト型面ファスナ５３とを有する。シート型面ファスナ５２は、第１シャフト２１の第１アウタ部２１ａの第１主平面部２１ｃに貼付されたリング状突起付きの第１帯状シート５２ａと、第２シャフト２２の第２アウタ部２２ａの第２主平面部２２ｃに貼付された鉤状突起付きの第２帯状シート５２ｂとからなる。そして、第１帯状シート５２ａのリング状突起と第２帯状シート５２ｂの鉤状突起とが係止することにより、第１アウタ部２１ａと第２アウタ部２２ａがシート型面ファスナ５２を介して密着固定される。また、ベルト型面ファスナ５３は、図示しないが、リング状突起付きの第１帯状シートと鉤状突起付きの第２帯状シートとを背中合せに貼付することにより形成される（図１及び図８）。そして、ベルト型面ファスナ５３の基端部を第１シャフト２１の上部に巻き付けて固定しておき、第１シャフト２１の第１主平面部２１ｃに第２シャフト２２の第２主平面部２２ｃを対向させて、ベルト型面ファスナ５３を第２シャフト２２の上部に巻き付けた後に、ベルト型面ファスナ５３の先端部の鉤状突起又はリング状突起をベルト型面ファスナ５３の基端部のリング状突起又は鉤状突起に係止することにより、第１シャフト２１及び第２シャフト２２の上部がベルト型面ファスナ５３により固定される。
【００２８】
一方、第１インナ部２１ｂの第１アウタ部２１ａからの突出長さは第１長さ調整機構６１により段階的に変更可能に構成され、第２インナ部２２ｂの第２アウタ部２２ａからの突出長さは第２調整機構６２により段階的に変更可能に構成される（図９及び図１０）。第１長さ調整機構６１は、第１シャフト２１の第１アウタ部２１ａに長手方向に間隔をあけて形成された複数の第１通孔６１ａと、第１インナ部２１ｂに内蔵され複数の第１通孔６１ａに選択的に係止可能な単一の第１ピン６１ｂとを有する。複数の第１通孔６１ａは、第１主平面部２１ｃとは反対側の湾曲面にそれぞれ形成される。また、第１ピン６１ｂは第１通孔６１ａに離脱可能に挿入され先端が半球状に形成され、第１ピン６１ｂの基端には第１通孔６１ａより大径の円柱状の第１ストッパ６１ｃが設けられ、第１ストッパ６１ｃの第１ピン６１ｂとは反対側の平面には第１ストッパ６１ｃより小径の円柱状の第１ばね保持軸６１ｄが突設される。更に、第１シャフト２１の第１インナ部２１ｂの上端近傍には、第１インナ部２１ｂを第１アウタ部２１ａに挿入して摺動させたときに複数の第１通孔６１ａと選択的に一致しかつ第１通孔６１ａと同径である単一の第１透孔６１ｅが形成され、第１ばね保持軸６１ｄには第１圧縮コイルばね６１ｆが遊嵌される。
【００２９】
第２長さ調整機構６２は、第２シャフト２２の第２アウタ部２２ａに長手方向に間隔をあけて形成された複数の第２通孔６２ａと、第２インナ部２２ｂに内蔵され複数の第２通孔６２ａに選択的に係止可能な単一の第２ピン６２ｂとを有する（図９及び図１０）。複数の第２通孔６２ａは、第２主平面部２２ｃとは反対側の湾曲面にそれぞれ形成される。また、第２ピン６２ｂは第２通孔６２ａに離脱可能に挿入され先端が半球状に形成され、第２ピン６２ｂの基端には第２通孔６２ａより大径の円柱状の第２ストッパ６２ｃが設けられ、第２ストッパ６２ｃの第２ピン６２ｂとは反対側の平面には第２ストッパ６２ｃより小径の円柱状の第２ばね保持軸６２ｄが突設される。更に、第２シャフト２２の第２インナ部２２ｂの上端近傍には、第２インナ部２２ｂを第２アウタ部２２ａに挿入して摺動させたときに複数の第２通孔６２ａと選択的に一致しかつ第２通孔６２ａと同径である単一の第２透孔６２ｅが形成され、第２ばね保持軸６２ｄには第２圧縮コイルばね６２ｆが遊嵌される。
【００３０】
このように構成された杖１０の使用方法を説明する。第１杖１１と第２杖１２が分離した状態（図１（ｂ））から、第１杖１１及び第２杖１２が合体した状態（図１（ａ））に変更するのは、先ず、第１杖１１の第１キャップ４１の第１筒状部４１ｃに第２杖１２の第２キャップ４２を、図６（ａ）及び図７（ａ）に示すように斜め上方から差し込む。次に、第１杖１１の第１グリップ部３１に第２杖１２の第２グリップ３２を近付けて（図４（ａ）及び図５（ａ））、第１グリップ３１の第１凹凸部３１ｃに第２グリップ３２の第２凹凸部３２ｃを嵌合する（図４（ｂ）及び図５（ｂ））。このとき、第１シャフト２１の第１アウタ部２１ａに貼付されたシート型面ファスナ５２の第１帯状シート５２ａのリング状突起に、第２シャフト２２の第２アウタ部２２ａに貼付されたシート型面ファスナ５２の第２帯状シート５２ｂの鉤状突起が係止するので、第１シャフト２１の第１アウタ部２１ａと第２シャフト２２の第２アウタ部２２ａがシート型面ファスナ５２を介して密着固定される。更に、基端部が第１シャフト２１の上部に巻き付けて固定されたベルト型面ファスナ５３を第２シャフト２２の上部に巻き付けた後に、ベルト型面ファスナ５３の先端部の鉤状突起又はリング状突起をベルト型面ファスナ５３の基端部のリング状突起又は鉤状突起に係止する。これにより第１シャフト２１及び第２シャフト２２の上部がベルト型面ファスナ５３により固定される（図１（ａ））。
【００３１】
第１杖１１及び第２杖１２が合体した状態では、第１グリップ３１の第１凹凸部３１ｃと第２グリップ３２の第２凹凸部３２ｃとが嵌合して、第１アッパ平面部３１ａと第２アッパ平面部３２ａとが密着しているので、例えば第１キャップ４１に、第１ロア平面部４１ａ及び第２ロア平面部４２ａに平行な方向の力が作用しても、第１凹凸部３１ｃと第２凹凸部３２ｃとが嵌合し、シート型面ファスナ５２及びベルト型面ファスナ５３が第１シャフト２１及び第２シャフト２２を合体させた状態に固定しているので、第１キャップ４１が第２キャップ４２に対して第１ロア平面部４１ａ及び第２ロア平面部４２ａ内でスライドすることはない。この結果、第１キャップ４１及び第２キャップ４２が第１ロア平面部４１ａ及び第２ロア平面部４２ａ内で意図せずに分離するのを防止できる。また、第１キャップ４１の第１筒状部４１ｃに第２キャップ４２が挿入され、シート型面ファスナ５２及びベルト型面ファスナ５３が第１シャフト２１及び第２シャフト２２を合体させた状態に固定しているので、第１キャップ４１と第２キャップ４２を互いに離す方向の力が作用しても、第１キャップ４１と第２キャップ４２とが互いに離れるのを第１筒状部４１ｃが阻止する。この結果、第１杖１１及び第２杖１２が意図せずに分離するのを防止できる。
【００３２】
一方、第１杖１１及び第２杖１２が合体した状態（図１（ａ））から、第１杖１１と第２杖１２が分離した状態（図１（ｂ））に変更するには、上記とは逆の手順で行う。そして、第１杖１１の第１グリップ３１及び第２杖１２の第２グリップ３２を左右の手でそれぞれ把持するとき、一方の手で第１グリップ３１の外周面と第１凹凸部３１ｃの複数の凸部３１ｅの先端面とを把持し、他方の手で第２グリップ３２の外周面と第２凹凸部３２ｃの複数の凸部３２ｅの先端面とを把持する。この結果、第１グリップ３１及び第２グリップ３２のそれぞれの太さが第１杖１１及び第２杖１２が合体したときのグリップの太さと比べて極端に細くならないので、使用者に違和感を殆ど抱かせることはなく、かつ第１凹凸部３１ｃ及び第２凹凸部３２ｃが滑止めの機能をそれぞれ発揮できる。
【００３３】
一方、第１杖１１及び第２杖１２が合体した状態で、第１インナ部２１ｂの第１アウタ部２１ａからの突出長さを第１長さ調整機構６１により段階的に変更し、第２インナ部２２ｂの第２アウタ部２２ａからの突出長さを第２調整機構６２により段階的に変更するには、先ず、図９（ａ）及び図１０（ａ）に示すように、第１ピン６１ｂ及び第２ピン６２ｂを指６３で第１シャフト２１内及び第２シャフト２２内に押込む。次に、この状態で、図１０（ａ）の破線矢印で示す方向に第１インナ部２１ｂ及び第２インナ部２２ｂを第１アウタ部２１ａ及び第２アウタ部２２ａに同時に押込む。このとき、第１ピン６１ｂ及び第２ピン６２ｂの先端が半球状に形成されているため、第１ピン６１ｂ及び第２ピン６２ｂが第１通孔６１ａ及び第２通孔６２ａから抜けて、第１インナ部２１ｂ及び第２インナ部２２ｂが第１アウタ部２１ａ及び第２アウタ部２２ａに対して摺動する。そして、第１ピン６１ｂ及び第２ピン６２ｂが上記抜けた第１通孔６１ａ及び第２通孔６２ａに隣接する第１通孔６１ａ及び第２通孔６２ａに臨む位置に達したときに、第１ピン６１ｂ及び第２ピン６２ｂが上記臨む位置に達した第１通孔６１ａ及び第２通孔６２ａに第１圧縮コイルばね６１ｆ及び第２圧縮コイルばね６２ｆの弾性力によりそれぞれ挿入される。
【００３４】
このように、第１アウタ部２１ａに形成された複数の第１通孔６１ａに、第１インナ部２１ｂに形成された単一の第１ピン６１ｂが選択的に係止することにより、第１インナ部２１ｂの第１アウタ部２１ａからの突出長さを段階的に変更でき、第２アウタ部２２ａに形成された複数の第２通孔６２ａに、第２インナ部２２ｂに形成された単一の第２ピン６２ｂが選択的に係止することにより、第２インナ部２２ｂの第２アウタ部２２ａからの突出長さを段階的に変更できる。この結果、使用者の身長や使用状況に合せて第１杖１１及び第２杖１２の全長をそれぞれ調整できる。
【００３５】
＜第２の実施の形態＞
図１１及び図１２は、本発明の第２の実施の形態を示す。図１１及び図１２において図９及び図１０と同一符号は同一部品を示す。この実施の形態では、第１長さ調整機構８１の第１ピン６１ｂを第１透孔６１ｅ及び第１通孔６１ａに挿入する方向に付勢する弾性体として第１Ｕ字状ばね８１ａが用いられ、第２長さ調整機構８２の第２ピン６２ｂを第２透孔６２ｅ及び第２通孔６２ａに挿入する方向に付勢する弾性体として第２Ｕ字状ばね８２ａが用いられる。第１Ｕ字状ばね８１ａは、線条のばね鋼を略Ｕ字状に折り曲げることにより形成された第１ばね本体８１ｂと、第１ばね本体８１ｂの一端を略直角に外方に折曲げることにより形成された第１折曲部８１ｃとを有する。そして、第１Ｕ字状ばね８１ａはその両端が互いに離れる方向に弾性変形することにより、第１折曲部８１ｃが第１ストッパ６１ｃの中央に形成された第１挿入穴８１ｄに挿入され、第１ばね本体８１ｂの他端が第１インナ部２１ｂの内面に圧接されて、第１ピン６１ｂが第１透孔６１ｅ及び第１通孔６１ａに挿入される方向に付勢される。また、第２Ｕ字状ばね８２ａは、線条のばね鋼を略Ｕ字状に折り曲げることにより形成された第２ばね本体８２ｂと、第２ばね本体８２ｂの一端を略直角に外方に折曲げることにより形成された第２折曲部８２ｃとを有する。そして、第２Ｕ字状ばね８２ａは両端が互いに離れる方向に弾性変形することにより、第２折曲部８２ｃが第２ストッパ６２ｃの中央に形成された第２挿入穴８２ｄに挿入され、第２ばね本体８２ｂの他端が第２インナ部２２ｂの内面に圧接されて、第２ピン６２ｂが第２透孔６２ｅ及び第２通孔６２ａに挿入される方向に付勢される。上記以外は第１の実施の形態と同一に構成される。
【００３６】
このように構成された杖では、第１杖１１及び第２杖１２が合体した状態で、第１インナ部２１ｂの第１アウタ部２１ａからの突出長さを第１長さ調整機構８１により段階的に変更し、第２インナ部２２ｂの第２アウタ部２２ａからの突出長さを第２調整機構８２により段階的に変更するには、先ず、図１１（ａ）及び図１２（ａ）に示すように、第１ピン６１ｂ及び第２ピン６２ｂを指６３で第１シャフト２１内及び第２シャフト２２内に押込む。次に、この状態で、図１２（ａ）の破線矢印で示す方向に第１インナ部２１ｂ及び第２インナ部２２ｂを第１アウタ部２１ａ及び第２アウタ部２２ａに同時に押込む。このとき、第１ピン６１ｂ及び第２ピン６２ｂの先端が半球状に形成されているため、第１ピン６１ｂ及び第２ピン６２ｂが第１通孔６１ａ及び第２通孔６２ａから抜けて、第１インナ部２１ｂ及び第２インナ部２２ｂが第１アウタ部２１ａ及び第２アウタ部２２ａに対して摺動する。そして、第１ピン６１ｂ及び第２ピン６２ｂが上記抜けた第１通孔６１ａ及び第２通孔６２ａに隣接する第１通孔６１ａ及び第２通孔６２ａに臨む位置に達したときに、第１ピン６１ｂ及び第２ピン６２ｂが上記臨む位置に達した第１通孔６１ａ及び第２通孔６２ａに第１Ｕ字状ばね８１ａ及び第２Ｕ字状８２ａの弾性力によりそれぞれ挿入される。上記以外の動作は、第１の実施の形態と略同様であるので、繰返しの説明を省略する。
【００３７】
なお、上記第１及び第２実施の形態では、第１グリップの第１アッパ平面部に縦方向に延びる凹部（凹条部分）及び凸部（凸条部分）を交互に並べることにより第１凹凸部を形成し、第２グリップの第２アッパ平面部に縦方向に延びる凹部（凹条部分）及び凸部（凸条部分）を交互に並べることにより第２凹凸部を形成したが、第１アッパ平面部に横方向又は斜め方向に延びる凹部（凹条部分）及び凸部（凸条部分）を交互に並べることにより第１凹凸部を形成し、第２アッパ平面部に横方向又は斜め方向に延びる凹部（凹条部分）及び凸部（凸条部分）を交互に並べることにより第２凹凸部を形成してもよく、或いは第１アッパ平面部に柱状の凹部及び柱状の凸部を碁盤の目のように交互に並べることにより第１凹凸部を形成し、第２アッパ平面部に柱状の凹部及び柱状の凸部を碁盤の目のように交互に並べることにより第２凹凸部を形成してもよい。また、上記第１及び第２実施の形態では、第１キャップの第１ロア平面部に第２キャップを挿入可能な第１筒状部を突設したが、第２キャップの第２ロア平面部に第１キャップを挿入可能な第２筒状部を突設してもよい。また、上記第１及び第２実施の形態では、第１シャフトの第１主平面部を第２シャフトの第２主平面部に対向させて合せた状態で、第１シャフト及び第２シャフトをシート型面ファスナとベルト型面ファスナにより固定したが、第１凹凸部と第２凹凸部とを嵌合させて第１アッパ平面部と第２アッパ平面部とが密着した状態で、グリップ全体を面ファスナで固定してもよい。更に、上記第１及び第２実施の形態では、第１杖の各平面部を第２杖の各平面部に対向させて合せた状態でシート型面ファスナ及びベルト型面ファスナで固定したが、第１杖の各平面部を第２杖の各平面部に対向させて合せた状態で永久磁石やホックで固定してもよい。
【符号の説明】
【００３８】
１０  杖
１１  第１杖
１２  第２杖
２１  第１シャフト
２１ａ  第１アウタ部
２１ｂ  第１インナ部
２１ｃ  第１主平面部
２２  第２シャフト
２２ａ  第２アウタ部
２２ｂ  第２インナ部
２２ｃ  第２主平面部
３１  第１グリップ
３１ａ  第１アッパ平面部
３１ｃ  第１凹凸部
３１ｄ  第１凹凸部の凹部（凹条部分）
３１ｅ  第１凹凸部の凸部（凸条部分）
３２  第２グリップ
３２ａ  第２主平面部
３２ｃ  第２凹凸部
３２ｄ  第２凹凸部の凹部（凹条部分）
３２ｅ  第２凹凸部の凸部（凸条部分）
４１  第１キャップ
４１ａ  第１ロア平面部
４１ｃ  第１筒状部
４２  第２キャップ
４２ａ  第２ロア平面部
５１  面ファスナ
６１，８１  第１長さ調整機構
６１ａ  第１通孔
６１ｂ  第１ピン
６２，８２  第２長さ調整機構
６２ａ  第２通孔
６２ｂ  第２ピン
【図１】
2020022609.tif 000003
【図２】
2020022609.tif 000004
【図３】
2020022609.tif 000005
【図４】
2020022609.tif 000006
【図５】
2020022609.tif 000007
【図６】
2020022609.tif 000008
【図７】
2020022609.tif 000009
【図８】
2020022609.tif 000010
【図９】
2020022609.tif 000011
【図１０】
2020022609.tif 000012
【図１１】
2020022609.tif 000013
【図１２】
2020022609.tif 000014